(57)【要約】      （修正有）【課題】乗客コンベアの欄干内に安定器を配設しても、安定器の発熱に起因した乗客に与える不快感を抑えつつ、組み立て作業性及びメンテナンス性に優れた乗客コンベアの欄干照明装置を提供する。【解決手段】一対の側壁１０ａ，１０ｂを有し、その上部において移動手摺５を案内支持する手摺デッキ１０と、放電灯１１を収納する主デッキ９と、手摺デッキ内１０に配置される安定器１２とを備え、安定器１２はその側面２２ａと接触して配された安定器支持体１７を介して手摺デッキ１０に固定され、安定器１２及び安定器支持体１７が手摺デッキ１０の一対の側壁１０ａ，１０ｂとは間隔をあけて配置されていることを特徴とする。【選択図】図２
2010179994.tif 000002
【特許請求の範囲】
【請求項１】
一対の側壁を有し前記一対の側壁の上部において移動手摺を案内支持する手摺デッキと、放電灯を収納する主デッキと、前記手摺デッキ内に配置される安定器とを備え、
前記安定器はその側面と接触して配された安定器支持体を介して前記手摺デッキに固定され、前記安定器及び前記安定器支持体が前記手摺デッキの前記一対の側壁とは間隔をあけて配置されていることを特徴とする乗客コンベアの欄干照明装置。
【請求項２】
電源線が平型電線からなり、前記手摺デッキの他方の側壁と前記安定器の他方の側面との対向間隙に前記電源線が配置されていることを特徴とする請求項１に記載の乗客コンベアの欄干照明装置。
【請求項３】
前記安定器の前記他方の側面に断熱材が配設されていることを特徴とする請求項２に記載の乗客コンベアの欄干照明装置。
【請求項４】
前記安定器支持体が前記手摺デッキより熱伝導率の高い素材からなることを特徴とする請求項１〜３のいずれか１項に記載の乗客コンベアの欄干照明装置。
【請求項５】
前記安定器に前記放電灯を配線接続する第１リード線と前記安定器に電源線を配線接続する第２リード線とが、前記安定器の前記移動手摺の移動方向における一方端部に接続されていることを特徴とする請求項１〜４のいずれか１項に記載の乗客コンベアの欄干照明装置。
【発明の詳細な説明】
【技術分野】
【０００１】
本発明は、エスカレータや電動道路などの乗客コンベアの欄干照明装置に関し、特に、蛍光灯などの放電灯を用いた乗客コンベアの欄干照明装置に関する。
【背景技術】
【０００２】
乗客コンベアの欄干照明装置として蛍光灯など放電灯が一般的に用いられている。このように放電灯を用いる乗客コンベアの欄干照明装置では、安定器と電源線の配線距離を短く設定し製造コストを抑えるため、乗客コンベアの欄干内に安定器を配設し、乗客コンベアの欄干内に敷設した電源線から安定器に電源を供給する場合がある（例えば、下記特許文献１参照）。
【０００３】
上記した乗客コンベアの欄干照明装置では、安定器の通電抵抗により生じる熱が、安定器の取付位置近傍の移動手摺及びデッキを昇温させるため、乗客が昇温した移動手摺及びデッキに触れた場合、生暖かさを感じ不快を覚える問題がある。
【０００４】
そこで、欄干内に配設した安定器の周囲に遮熱体を設け、安定器から発する熱が直接移動手摺やデッキに伝達するのを防止した乗客コンベアの欄干照明装置が提案されている（例えば、下記特許文献２参照）。
【０００５】
しかしながら、遮蔽体が、逆Ｕ字状をなし、上方より安定器を取り囲むように配設されているため、安定器を欄干内に固定する場合、安定器の底面において欄干とネジ止めなどしなければならない。そのため、安定器の取付や交換を行う際に安定器を固定する固定ネジを目視することができず、手探りにより固定ネジの操作をすることとなり、組み立て作業性及びメンテナンス性が悪いという問題がある。
【先行技術文献】
【特許文献】
【０００６】
【特許文献１】特許第２７８０６０３号
【特許文献２】特許第３８１４７１４号
【発明の概要】
【発明が解決しようとする課題】
【０００７】
本発明は上記問題を考慮してなされたものであり、乗客コンベアの欄干内に安定器を配設しても、安定器の発熱に起因した乗客への不快感を抑えつつ、組み立て作業性及びメンテナンス性に優れた乗客コンベアの欄干照明装置を提供することを目的とする。
【課題を解決するための手段】
【０００８】
本発明に係る乗客コンベアの欄干照明装置は、一対の側壁を有し前記一対の側壁の上部において移動手摺を案内支持する手摺デッキと、放電灯を収納する主デッキと、前記手摺デッキ内に配置される安定器とを備え、前記安定器はその側面と接触して配された安定器支持体を介して前記手摺デッキに固定され、前記安定器及び前記安定器支持体が前記手摺デッキの前記一対の側壁とは間隔をあけて配置されていることを特徴とする。
【発明の効果】
【０００９】
本発明の乗客コンベアの欄干照明装置では、上記構成により、安定器を欄干内に配設する場合であっても、安定器の発熱に起因した乗客への不快感を抑えつつ、組み立て作業性及びメンテナンス性に優れている。
【図面の簡単な説明】
【００１０】
【図１】本発明の一実施形態に係る欄干照明装置が適用された乗客コンベアの斜視図である。
【図２】前記欄干照明装置の断面図である。
【図３】図２のＡ−Ａ断面図である。
【図４】図３のＢ−Ｂ断面図である。
【発明を実施するための形態】
【００１１】
以下、本発明の一実施形態について、図面を参照して説明する。
【００１２】
乗客コンベア１は、上下階に跨って設置されたエスカレータであって、上下の乗降床２，２の間を無端状に連結されて移動する多数の踏段３と、踏段３の両側に踏段３の移動方向に沿って立設された一対の欄干４と、欄干４の周縁を移動する移動手摺５と、移動手摺５の近傍の欄干４に設けられた欄干照明装置６と、を備える。
【００１３】
欄干４は、踏段３の両側に立設されたガラスパネル７と、ガラスパネル７の周縁に固定されたデッキ８とを備える。デッキ８は、ガラスパネル７の周縁に固定される主デッキ９と、主デッキ９の上面に固定され移動手摺５を支持する手摺デッキ１０と、を備える。
【００１４】
主デッキ９は、断面形状が下方に開口するコ字状をなし、一対の側壁９ａ，９ｂが所定間隔をあけて踏段３の移動方向に沿って延びており、乗客コンベア１の幅方向外側に位置する一方側壁９ａに沿って断面形状が下方に開口したコ字状の固定部２０が配設されている。この固定部２０がガラスパネル７の周縁を挟持することで、主デッキ９がガラスパネル７の周縁に固定される。
【００１５】
手摺デッキ１０は、断面形状が上方に開口するコ字状をなし、一対の側壁１０ａ，１０ｂが互いに所定間隔をあけて踏段３の移動方向に沿って延びている。一対の側壁１０ａ，１０ｂの上端部には幅方向外方に向けて延びる摺動案内レール２１が設けられ移動手摺５の内周面を摺動可能に支持する。
【００１６】
欄干照明装置６は、蛍光灯等からなる放電灯１１と安定器１２とを備える。
【００１７】
放電灯１１は、主デッキ９の下側であって固定部２０より乗客コンベア１の幅方向内方に寄せて配置され、第１リード線１４を介して安定器１２に接続されている。放電灯１１は、乗客コンベア１の乗客が放電灯１１に直接触れることがないように、光透過性の照明カバー１３で覆われている。
【００１８】
安定器１２は、電源線１８から第２リード線２３を介して入力された電源を安定化し、この安定化した電源を第１リード線１４を介して放電灯１１に供給するものであって、一対の側壁１０ａ，１０ｂの間において、安定器支持体１７を介して手摺デッキ１０内に配設されている。
【００１９】
安定器支持体１７は、手摺デッキ１０を構成する材料より熱伝導率が高いアルミニウムや銅などの材料からなり、図３及び図４に示すように、ボルト２５などにより手摺デッキ１０の底面に連結固定される連結部１７ａと、連結部１７ａの側端部より上方に立設し安定器１２の側面に沿って安定器１２を支持する板状の支持部１７ｂと、を備える。支持部１７ｂは、踏段３の移動方向に沿った長さが安定器１２より長く設けられており、安定器１２の取付位置から踏段３の移動方向にずらした位置に連結部１７ａが設けられている。
【００２０】
支持部１７ｂには、安定器１２の外郭をなす金属製の外箱２２が接触した状態で固定されている。詳細には、手摺デッキ１０の一方側壁１０ａに対向する外箱２２の一方側面２２ａが支持部１７ｂと面接触した状態で、外箱２２がボルト１９などにより支持部１７ｂに固定されている。これにより安定器１２が支持部１７ｂと熱交換可能に固定されている。
【００２１】
外箱２２の前記一方側面２２ａとは反対側の他方側面２２ｂ、すなわち、手摺デッキ１０の他方側壁１０ｂと対向する外箱２２の他方側面２２ｂには、遮熱シートあるいは熱反射シートからなる断熱材２６が貼付されている。
【００２２】
安定器支持体１７は、図４に示すように、連結部１７ａを手摺デッキ１０の底面１０ｃに固定すると、安定器１２が手摺デッキ１０の一対の側壁１０ａ，１０ｂと手摺デッキ１０の幅方向に間隔をあけて配置される。詳細には、手摺デッキ１０の一方側壁１０ａと安定器支持体１７の支持部１７ｂとの間には手摺デッキ１０の幅方向に隙間Ｓ１が形成され、手摺デッキ１０の他方側壁１０ｂと外箱２２の他方側面２２ｂとの間には手摺デッキ１０の幅方向に隙間Ｓ２が形成され、手摺デッキ１０の他方側壁１０ｂ側の隙間Ｓ２が手摺デッキ１０の一方側壁１０ａ側の隙間Ｓ１より大きくなるように、安定器１２が手摺デッキ１０の幅方向中央位置より一方側壁１０ａに寄せた位置に配置される。これにより、後述するように電源線１８及び第１リード線１４の配線が容易となる。
【００２３】
また、主デッキ９と手摺デッキ１０との接合部には、第１リード線１４を挿通するための配線孔１５が穿設されている。配線孔１５には、孔あけ時に生じたバリにより第１リード線１４が損傷するのを防ぐため、ゴム製筒状の配線保護具１６が取り付けられ、その中空部を第１リード線１４が通過している。そのことにより、配線孔１５が塞がれ、移動手摺５の摺動による埃などが照明カバー１３内に落ちるのを防止している。
【００２４】
放電灯１１の両端に接続された一対の第１リード線１４は上記のような配線孔１５から引き出され、一方の第１リード線１４（図４におけて右側の配線孔１５から引き出された第１リード線１４）が踏段３の移動方向に一致する安定器１２の長手方向の一方端部１２ａに接続され、他方の第１リード線１４（図４におけて左側の配線孔１５から引き出された第１リード線１４）が手摺デッキ１０の他方側壁１０ｂ側に形成された隙間Ｓ２を通って安定器１２の長手方向の反対側へ配線され、安定器１２の長手方向の前記一方端部１２ａに接続されている。
【００２５】
また、安定器１２に電源を供給する電源線１８は平型電線からなり、断面における長辺１８ａを手摺デッキ１０の他方側壁１０ｂに沿わせ（図２）、他方側壁１０ｂ側に形成された隙間Ｓ２を通って踏段３の移動方向（手摺デッキ１０の長手方向）に配設されており、第２リード線２３を介して安定器１２の長手方向の一方端部１２ａに接続されている（図４）。
【００２６】
以上のように、本実施形態における乗客コンベアの欄干照明装置６では、安定器１２が、手摺デッキ１０の一方側壁１０ａと対向する一方側面２２ａにおいて熱交換可能に接触する安定器支持体１７を介して手摺デッキ１０に固定されている。したがって、安定器支持体１７が安定器１２の上方を覆うことがないため、安定器１２の取付や交換を行うために移動手摺５を取り外した状態において、安定器１２を安定器支持体１７に固定するボルト１９を目視することができるものであり、組み立て作業性及びメンテナンス性に優れている。
【００２７】
しかも、安定器１２及び安定器支持体１７が手摺デッキ１０の側壁１０ａ，１０ｂと幅方向に隙間Ｓ１，Ｓ２をあけた状態で、安定器１２が安定器支持体１７を介して手摺デッキ１０に固定されているため、安定器１２から発生した熱が手摺デッキ１０の側壁１０ａ，１０ｂに直接伝わりにくいことから、手摺デッキ１０における安定器１２の取付位置近傍が局所的に昇温することがなくなり、また、移動手摺５が安定器１２の取付位置近傍を通過する際にも昇温されることがなく、したがって、移動手摺５及び手摺デッキ１０に触れた乗客に不快感を与えることがない。
【００２８】
また、踏段３の移動方向に沿った支持部１７ｂの長さ寸法が安定器１２より長く設けられているため、安定器１２から発生した熱を支持部１７ｂの長手方向の広い範囲に分散させることができる。そのため、たとえ、安定器１２からの熱の一部が手摺デッキ１０の側壁１０ａ，１０ｂに伝達されることがあるとしても、安定器１２の取付位置近傍の移動手摺５及び手摺デッキ１０が局所的に昇温することがない。
【００２９】
しかも、支持部１７ｂは、上方に立設する板状の部材であるため、その長さ寸法を安定器１２より長く設けても、手摺デッキ１０内に第１リード線１４、第２リード線２３及び電源線１８を配線する際に障害となりにくい。
【００３０】
また、安定器支持体１７が手摺デッキ１０より熱伝導率の高い素材から構成されているため、安定器１２から発生した熱が安定器支持体１７へ速やかに伝達され安定器支持体１７全体で放熱させることができる。そのため、たとえ、安定器１２からの熱の一部が手摺デッキ１０の側壁１０ａ，１０ｂに伝達されることがあるとしても、安定器１２の取付位置近傍の移動手摺５及び手摺デッキ１０が局所的に昇温することがない。
【００３１】
また、手摺デッキ１０の前記他方側壁１０ｂと安定器１２の外箱２２の前記他方側面２２ｂとの間に形成された隙間Ｓ２に平型電線からなる電源線１８が配置されているため、スペース効率よく電源線１８を手摺デッキ１０内に配設することができ、デッキ８内に多数個の欄干照明装置６を収納する場合であっても、手摺デッキ１０内に電源線１８を収納することが容易となる。しかも、外箱２２の他方側面２２ｂに断熱材２６が貼付されているため、電源線１８が安定器１２から発生した熱により破損されるのを防ぐことができる。
【符号の説明】
【００３２】
１…乗客コンベア
４…欄干
５…移動手摺
６…欄干照明装置
７…ガラスパネル
８…デッキ
９…主デッキ
１０…手摺デッキ
１０ａ…一方側壁
１０ｂ…他方側壁
１１…放電灯
１２…安定器
１４…第１リード線
１７…安定器支持体
１７ａ…連結部
１７ｂ…支持部
１８…電源線
２２…外箱
２２ａ…一方側面
２２ｂ…他方側面
２６…断熱材
Ｓ１…隙間
Ｓ２…隙間
【図１】
2010179994.tif 000003
【図２】
2010179994.tif 000004
【図３】
2010179994.tif 000005
【図４】
2010179994.tif 000006